(57)【要約】【課題】床面の種類に応じて容易に組み立てられると共に、掃除機用床ノズルの小型化が図れる掃除機用床ノズルの回転ロータを提供する。【解決手段】外周面に３６０度以上の捩り角度で螺旋状に形成された複数の溝部４を有するロータ２を備え、溝部４に装着される清掃体３を、細い繊維からなりブラシ状の清掃体Ａ３ａと、軟質材でブレード状に形成された清掃体Ｂ３ｂと、払拭布で形成された清掃体Ｃ（図示せず）と、清掃体Ａ３ａよりこしの強い繊維からなるブラシ状の清掃体Ｄ（図示せず）のいずれかを２つ以上組み合わせて構成したもので、溝部４の捩り角度が３６０度以上なので、被掃除面と清掃体３との間の摺動抵抗が大幅に軽減し、回転ロータ１を回転させる駆動源（図示せず）の小型化が図れ、かつ、清掃体Ａ３ａ、Ｂ３ｂ、Ｃ、Ｄの組み合わせを変えるだけで、床面（図示せず）の種類に応じた回転ロータ１が組み立てられる。【選択図】図２
2006325761.tif 000002
【特許請求の範囲】
【請求項１】
掃除機用床ノズルに回転自在に設けられ外周面の長手方向に複数の溝部を形成したロータと、一端が前記溝部に装着される清掃体からなり、前記溝部を前記ロータの全長に渡って３６０度以上の捩り角度で螺旋状に形成し、前記清掃体を、細い繊維でブラシ状に形成された清掃体Ａと、軟質材でブレード状に形成された清掃体Ｂと、払拭布で形成された清掃体Ｃと、前記清掃体Ａよりこしの強い細い繊維でブラシ状に形成された清掃体Ｄのいずれかを２つ以上組み合わせて構成した掃除機用床ノズルの回転ロータ。
【請求項２】
清掃体Ａ及び清掃体Ｄを、細い繊維からなるブラシ片と、前記ブラシ片の下部を保持する帯状体で形成した請求項１に記載の掃除機用床ノズルの回転ロータ。
【請求項３】
ブラシ片の下部を、芯線と共に帯状体で挟んで保持した請求項２に記載の掃除機用床ノズルの回転ロータ。
【請求項４】
清掃体Ｂを、平面上で環状になるように形成した請求項１〜３のいずれか１項に記載の掃除機用床ノズルの回転ロータ。
【請求項５】
清掃体Ａ、Ｂ、Ｃ、及びＤの溝部への取り付け前の形状を、前記溝部に取り付けたときの形状と略同一になるようにした請求項１〜３のいずれか１項に記載の掃除機用床ノズルの回転ロータ。
【請求項６】
吸引力を発生させる電動送風機と、塵埃を捕集する集塵室と、前記集塵室に連通するように接続される掃除機用床ノズルとを備え、前記掃除機用床ノズルに、請求項１〜５のいずれか１項に記載の掃除機用床ノズルの回転ロータを配した電気掃除機。
【発明の詳細な説明】
【技術分野】
【０００１】
本発明は、掃除機用床ノズルの回転ロータ及び、それを用いた電気掃除機に関するものである。
【背景技術】
【０００２】
従来この種の掃除機用床ノズルの回転ロータは、掃除機用床ノズルに回転自在に設けられ外周面の長手方向に複数の溝部を螺旋状に形成したロータと、それぞれの一端が前記溝部に交互に装着される毛ブラシと、周ブレードから構成されていた。毛ブラシは、木床やタイル面で拭き機能の役割を持つもので、周ブレードは、絨毯のパイルから塵埃を剥離させる機能を有している。
【０００３】
上記構成により、毛ブラシと、周ブレードのそれぞれの一端を螺旋状の溝部に装着することで、毛ブラシ、周ブレードのそれぞれの先端も螺旋状になり、回転ロータを回転させたときに毛ブラシ、周ブレードのそれぞれの先端が被掃除面に連続して接触して、木床やタイル面を効率よく拭き上げたり、絨毯の塵埃を効率よく掻きとるようになっている（例えば、特許文献１参照）。
【特許文献１】特開平１１−３１８７８１号公報
【発明の開示】
【発明が解決しようとする課題】
【０００４】
しかしながら、上記特許文献１に開示されたような従来の掃除機用床ノズルの回転ロータにおいては、螺旋状に形成された溝部の捩り角度は、ロータの両端間で、せいぜい１８０度で、大きいものでも２７０度程度までであった。このため、回転ロータを回転させたときの毛ブラシや周ブレードと被掃除面との間の摺動抵抗が大きく、掃除機用床ノズルに設けられた回転ロータを回転駆動するモータなどの駆動源を小型化することが困難であった。
【０００５】
それを解決する手段として、毛ブラシや周ブレードの突出代を短くして、それらと被掃除面との間の摺動抵抗を小さくして駆動源に加わる負荷を低減し、駆動源を小型化する方法も可能だが、これでは、毛ブラシや周ブレードの本来の拭き性能や塵埃掻き揚げ性能が低下してしまうという課題があった。
【０００６】
本発明は、上記従来の課題を解決するもので、清掃体の拭き性能や塵埃掻き揚げ性能を低下させること無く、被掃除面と清掃体との間の摺動抵抗が小さく、回転ロータを回転させる駆動源を小型化することが出来る掃除機用床ノズルの回転ロータを提供することを目的とする。
【課題を解決するための手段】
【０００７】
前記従来の課題を解決するために、本発明の掃除機用床ノズルの回転ロータは、掃除機用床ノズルに回転自在に設けられ外周面の長手方向に複数の溝部を形成したロータと、一端が前記溝部に装着される清掃体からなり、前記溝部を前記ロータの全長に渡って３６０度以上の捩り角度で螺旋状に形成し、前記清掃体を、細い繊維でブラシ状に形成された清掃体Ａと、軟質材でブレード状に形成された清掃体Ｂと、払拭布で形成された清掃体Ｃと、前記清掃体Ａよりこしの強い細い繊維でブラシ状に形成された清掃体Ｄのいずれかを２つ以上組み合わせて構成したもので、螺旋状に形成された溝部に装着されて、同様に螺旋状になった清掃体により、被掃除面の塵埃がロータの長手方向に沿って確実に掻き揚げられ、その捩り角度が３６０度以上になっているので、被掃除面と清掃体との間の摺動抵抗が大幅に軽減し、回転ロータを回転させる駆動源の小型化ひいては掃除機用床ノズルの小型化が図れる。
【０００８】
さらに、清掃体Ａ〜清掃体Ｄの組み合わせを変えるだけで、木床、絨毯等床面の種類に応じて、自在に回転ロータが組み立てられるので、製造コスト、在庫管理コスト等を低減させることができる。
【０００９】
また、本発明の電気掃除機は、吸引力を発生させる電動送風機と、塵埃を捕集する集塵室と、前記集塵室に連通するように接続される掃除機用床ノズルとを備え、前記掃除機用床ノズルに、請求項１〜５のいずれか１項に記載の掃除機用床ノズルの回転ロータを配したもので、被掃除面と回転ロータとの間の摺動抵抗が大幅に軽減することで、回転ロータを回転させるモータなどの駆動源が小型化し、その結果掃除機用床ノズルも小型になっているので、掃除機用床ノズルの操作性が著しく向上し、きわめて使用勝手の良い電気掃除機を提供することが出来る。
【発明の効果】
【００１０】
本発明の掃除機用床ノズルの回転ロータは、螺旋状の溝部に取り付けられた清掃体により、被掃除面の塵埃がロータの長手方向に沿って確実に掻き揚げられ、その捩り角度が３６０度以上になっているので、被掃除面と清掃体との間の摺動抵抗が大幅に軽減し、回転ロータを回転させる駆動源の小型化ひいては掃除機用床ノズルの小型化が図れる。
【００１１】
さらに、清掃体Ａ〜清掃体Ｄの組み合わせを変えるだけで、木床、絨毯等床面の種類に応じて、自在に回転ロータが組み立てられるので、製造コスト、在庫管理コスト等を低減させることができる。
【発明を実施するための最良の形態】
【００１２】
第１の発明は、掃除機用床ノズルに回転自在に設けられ外周面の長手方向に複数の溝部を形成したロータと、一端が前記溝部に装着される清掃体からなり、前記溝部を前記ロータの全長に渡って３６０度以上の捩り角度で螺旋状に形成し、前記清掃体を、細い繊維でブラシ状に形成された清掃体Ａと、軟質材でブレード状に形成された清掃体Ｂと、払拭布で形成された清掃体Ｃと、前記清掃体Ａよりこしの強い細い繊維でブラシ状に形成された清掃体Ｄのいずれかを２つ以上組み合わせて構成したもので、螺旋状に形成された溝部に装着されて、同様に螺旋状になった清掃体により、被掃除面の塵埃がロータの長手方向に沿って確実に掻き揚げられ、その捩り角度が３６０度以上になっているので、被掃除面と清掃体との間の摺動抵抗が大幅に軽減し、回転ロータを回転させる駆動源の小型化ひいては掃除機用床ノズルの小型化が図れる。
【００１３】
さらに、清掃体Ａ〜清掃体Ｄの組み合わせを変えるだけで、木床、絨毯等床面の種類に応じて、自在に回転ロータが組み立てられるので、製造コスト、在庫管理コスト等を低減させることができる。
【００１４】
第２の発明は、特に、第１の発明の清掃体Ａ及び清掃体Ｄを、細い繊維からなるブラシ片と、前記ブラシ片の下部を保持する帯状体で形成したもので、帯状体によりブラシ片の下部を保持することで、多くの繊維を密に束ねることができ、それにより清掃体Ａ、Ｄのこしを強くしたり、弱くしたり自由に設定することができ、被掃除面からの塵埃の掻き揚げ性能が向上する。
【００１５】
第３の発明は、特に、第２の発明のブラシ片の下部を、芯線と共に帯状体で挟んで保持したもので、ブラシ片の下部の固定がより確実になると共に、ロータの高速回転時のブラシ片の抜けや、清掃体Ａ、Ｄのロータからの外れなどを確実に防止することができる。
【００１６】
第４の発明は、特に、第１〜３のいずれか一つの発明の清掃体Ｂを、平面上で環状になるように形成したもので、環状に形成された清掃体Ｂの外周長と、内周長のそれぞれを、清掃体Ｂの一端をロータの溝部に取り付けたときの清掃体Ｂの先端の展開寸法と、溝部の展開寸法と同じくすれば、清掃体Ｂを溝部に容易に装着できると共に、平面上で環状になるように形成することで、成形金型の構造が簡素化され、金型費用は勿論、工数も削減されるので、安価に形成できる。
【００１７】
第５の発明は、特に、第１〜３のいずれか一つの発明の清掃体Ａ、Ｂ、Ｃ、及びＤの溝部への取り付け前の形状を、前記溝部に取り付けたときの形状と略同一になるようにしたもので、溝部へ取り付けた後の清掃体Ａ、Ｂ、Ｃ、及びＤの形状が取り付け前と同一なので、清掃体Ａ、Ｂ、Ｃ、及びＤに応力が残ることが無く、長寿命化を図ることができる。
【００１８】
第６の発明は、吸引力を発生させる電動送風機と、塵埃を捕集する集塵室と、前記集塵室に連通するように接続される掃除機用床ノズルとを備え、前記掃除機用床ノズルに、請求項１〜５のいずれか１項に記載の掃除機用床ノズルの回転ロータを配したもので、被掃除面と回転ロータとの間の摺動抵抗が大幅に軽減することで、回転ロータを回転させるモータなどの駆動源が小型化し、その結果掃除機用床ノズルも小型になっているので、掃除機用床ノズルの操作性が著しく向上し、きわめて使用勝手の良い電気掃除機を提供することが出来る。
【００１９】
以下、本発明の実施の形態について図面を参照しながら説明する。なお、この実施の形態により本発明が限定されるものではない。
【００２０】
（実施の形態１）本発明の第１の実施の形態における掃除機用床ノズルの回転ロータについて、図１〜４を用いて説明する。
【００２１】
図１は、本実施の形態における掃除機用床ノズルの回転ロータを搭載した掃除機用床ノズルの分解斜視図（上蓋を除いた図）で、図２は、同回転ロータの展開斜視図である。
【００２２】
図１、２において、３０は、電気掃除機（図示せず）に、ホース（図示せず）、延長管（図示せず）などを介して接続される掃除機用床ノズルで、前方底部に塵埃を吸引する開口部（図示せず）が設けられ、その開口部に臨むように本実施の形態における回転ロータ１が回転自在に設けられている。回転ロータ１は、ベルト３２を介して掃除機用床ノズル３０に内蔵されたモータ３１により回転駆動される。
【００２３】
回転ロータ１は、アルミニウムなどの金属材料からなり外周面の長手方向に均等に４本の溝部４を外方に開口するように設けたロータ２と、一端が溝部４に嵌合装着される清掃体３と、清掃体３をロータ２に装着した後、そのロータ２の一端に圧入されると共にモータ３１で駆動されるベルト３２が張架されるプーリー付きホルダー３３と、ロータ２の他端に圧入される軸受けホルダー３４から構成されている。３５は、回転ロータ１の両端を掃除機用床ノズル３０に回転自在に保持するための軸受けである。
【００２４】
ロータ２に設けた溝部４は、ロータ２の全幅に渡って３６０度の捩り角度で螺旋状に形成されている。なお、本実施の形態においては、捩れ角度を３６０度に設定しているが、５４０度、７２０度と３６０度を超える角度であれば、その角度を限定するものではない。  
【００２５】
溝部４の断面形状は、ロータ２の全長に渡って、一定の略いちょう型で、外周開口を内部に対して狭くなるように形成されている。
【００２６】
清掃体３は、清掃体Ａ３ａと、清掃体Ｂ３ｂと、清掃体Ｃ３ｃ、清掃体Ｄ３ｄのいずれかを２つ以上組み合わせて構成されている。
次に、図３を用いて、清掃体Ａ３ａ、清掃体Ｂ３ｂ、清掃体Ｃ３ｃ、清掃体Ｄ３ｄの詳細について説明する。
【００２７】
清掃体Ａ３ａは、主に、木床やタイル上の塵埃を掻き揚げる機能を有するもので、図３（ａ）に示すように、全体が帯状で、芯線３ｅを間にして折り曲げた多数の細い繊維からなるブラシ片３ｆと、ブラシ片３ｆの根元部を、芯線３ｅと共に覆い挟むと共に、ロータ２の溝部４に挿入される帯状体３ｇから構成されている。なお、芯線３ｅは、清掃体Ａ３ａの組み立て上必要なもので、清掃体Ａ３ａの完成後、抜き取っても良い。
【００２８】
また、芯線３ｅを用いることなく、清掃体Ａ３ａが組み立てられるのであれば、勿論芯線３ｅは不要である。又、従来から実施されている、基布にパイルを織り込んで加工された起毛布ブラシを使用しても良い。
【００２９】
清掃体Ｂ３ｂは、主に、絨毯のパイルについた塵埃を掻きとる機能を有するもので、図３（ｂ）に示すように、ブレード状で、シリコンゴムなどの軟質材で形成されたブレード片３ｈと、その根元部に一体的に形成され、ロータ２の溝部４に挿入される基部３ｊから構成されている。
【００３０】
清掃体Ｃ３ｃは、主に、木床やタイル等の表面を磨く機能を有するもので、図３（ｃ）に示すように、全体が帯状に形成され、表面に払拭布３ｋを設けた払拭体３ｍと、その根元部に一体的に形成され、ロータ２の溝部４に挿入される基部３ｎから構成されている。
【００３１】
清掃体Ｄ３ｄは、主に絨毯上のパイルについて塵埃を掻き取る機能を有するもので、図３（ｄ）に示すように、全体が帯状で芯線３ｐを間にして折り曲げた多数の繊維からなるブラシ片３ｒと、ブラシ片３ｒの根元部を、芯線３ｐと共に覆い挟むと共に、ロータ２の溝部４に挿入される帯状体３ｓから構成されている。ブラシ片３ｒは、清掃体Ａ３ａのブラシ片３ｆより繊維のこしが強くなるように設定されている。
【００３２】
例えば、清掃体Ｄ３ｄのブラシ片３ｒの繊維径を、清掃体Ａ３ａのブラシ片３ｆの繊維径より太くしたり、あるいは、清掃体Ｄ３ｄのブラシ片３ｒの材質を、清掃体Ａ３ａのブラシ片３ｆの材質より剛性のある繊維を使用したりすることで、ブラシ片３ｒの繊維のこしをブラシ片３ｆより強くすれば良い。
【００３３】
なお、芯線３ｐは、清掃体Ｄ３ｄの組み立て上必要なもので、清掃体Ｄ３ｄの完成後、抜き取っても良い。また、芯線３ｐを用いることなく、清掃体Ｄ３ｄが組み立てられるのであれば、勿論芯線３ｐは不要である。
【００３４】
帯状体３ｇ、３ｓ、基部３ｊ、３ｎのそれぞれの断面形状は、ロータ２の溝部４の断面形状とほぼ同一で、溝部４に挿入した後は、溝部４の開口から外れないようにしてある。なお、帯状体３ｇ、３ｓ、基部３ｊ、３ｎの断面形状は、本実施の形態における形状に限定されるものではなく、溝部４の開口幅よりも大きい幅を有した形状のものであれば、いかなる形状のものであってもかまわない。
【００３５】
回転ロータ１の組み立ては、各溝部４の一方の端部より、清掃体Ａ３ａ、清掃体Ｂ３ｂ、清掃体Ｃ３ｃ、清掃体Ｄ３ｄの帯状体（３ｇ又は３ｓ）又は基部（３ｊ又は３ｎ）を挿入し、ロータ２の一端にプーリー付きホルダー３３を、他端に軸受けホルダー３４をそれぞれ圧入して完成する。完成された回転ロータ１にベルト３２を張架し、両端を軸受け３５で保持しながら掃除機用床ノズル３０の所定の部位に挿入して、掃除機用床ノズル３０への組み立てが完了する。
【００３６】
次に、図４を用いて、清掃体Ａ３ａ、清掃体Ｂ３ｂ、清掃体Ｃ３ｃ、清掃体Ｄ３ｄの組み合わせ例とその作用を説明する。
【００３７】
図４（ａ）に示す例は、特に、絨毯の清掃に適した組み合わせ例で、清掃体Ａ３ａと、清掃体Ａ３ａより突出代が小さい清掃体Ｂ３ｂとを交互に溝部４に装着したもので、回転ロータ２を反時計方向に回転させると、突出代の大きな清掃体Ａ３ａが絨毯のパイルを倒し、次に突出代が小さい清掃体Ｂ３ｂが、パイルを押し広げると同時にパイルに付着した塵埃を掻き取り、次にくる清掃体Ａ３ａでパイルの奥の塵埃を掻き上げるもので、効果的に絨毯の掃除を行うことができる。また、絨毯清掃中に長い髪の毛が清掃体Ａ３ａに巻きついても、清掃体Ｂ３ｂの先端より内方に巻きつくことが無いので、髪の毛をはさみ等で切って簡単に除去できるものである。
【００３８】
図４（ｂ）に示す例は、特に、絨毯の掃除及び木床の清掃に適した組み合わせ例で、反時計方向に、最も突出代の大きな清掃体Ａ３ａと、最も突出代が小さい清掃体Ｂ３ｂと、清掃体Ａ３ａと、突出代が清掃体Ａ３ａより短く、清掃体Ｂ３ｂより長い清掃体Ｃ３ｃとを順に溝部４に装着したもので、木床上で回転ロータ２を反時計方向に回転させると、木床の溝に突出代の大きな清掃体Ａ３ａのブラシ片３ｆの先端が入り込んで中の塵埃を掻き出し、続いて清掃体Ｃ３ｃが木床の表面を磨き上げ、次の清掃体Ａ３ａで塵埃を掻き上げる。この間、出代の短い清掃体Ｂ３ｂは空転するだけで木床の表面に接することは無い。
【００３９】
また、同組み合わせで、絨毯上で運転すると、絨毯のパイルに付着した塵埃が清掃体Ａ３ａと、清掃体Ｂ３ｂとで、効果的に掻き取られる。また、畳上の清掃においても、同様の効果が得られる。
【００４０】
図４（ｃ）に示す例は、主に、木床の清掃に適した組み合わせ例で、時計方向に、清掃体Ａ３ａと、突出代が清掃体Ａ３ａより大きな清掃体Ｃ３ｃと、清掃体Ａ３ａと、突出代が清掃体Ａ３ａより短い清掃体Ｂ３ｂとを順に装着したもので、木床上で回転ロータ２を反時計方向に回転させると、磨き機能或いは拭き機能を有する清掃体Ｃ３ｃが常に木床の表面をなぞるので、磨き効果が極めて大きいものである。また、畳上の清掃においても、同様の効果が得られる。
【００４１】
図４（ｄ）に示す例は、特に、絨毯の清掃に適した別の組み合わせ例で、清掃体Ａ３ａと清掃体Ａ３ａより突出代が小さい清掃体Ｄ３ｄとを交互に溝部４に装着したもので、回転ロータ１を反時計方向に回転させると、突出代の大きな清掃体Ａ３ａが絨毯のパイルを倒し、次に突出代が小さくてブラシ片３ｒのこしが清掃体Ａ３ａより強い清掃体Ｄ３ｄがパイルを押し広げると同時にブラシ片３ｒの先端部でパイルに付着した塵埃を掻き取る。次にくる清掃体Ａ３ａでパイルの奥の塵埃を掻き上げるもので、効果的に絨毯の掃除を行うことができる。
【００４２】
又清掃体Ａ３ａ、清掃体Ｄ３ｄの全てが多数の繊維からなるブラシ片３ｆ、３ｒのため、高速回転を行っても、清掃体Ｂ３ｂのブレード片３ｈのように空気をたたく時発生するブー音やサイレン音等が無く、騒音を低下させることができる。
【００４３】
以上のように本実施の形態によれば、同一のロータ２を用いながら、複数の溝部４に、異なる清掃体３を色々組み合わせて取り付けることにより、被掃除面の種類に適した回転ロータ１を自在に製造することができる。
【００４４】
さらに、本実施の形態における掃除機用床ノズルの回転ロータ１を用いれば、一つの溝に装着された１本の清掃体３は、３６０度捩ってあるので、清掃体３の先端を最大で２箇所も床面に接触させることができる。
【００４５】
また、本実施の形態における掃除機用床ノズルの回転ロータは、４本の清掃体３を装着させてあるので、清掃体３を最大で５箇所も床面に接触させることができ、床面へ接触している総面積が多くなり、塵埃の掃き出し効果が向上する。又、多くの清掃体３を床面に接触させることにより床面からロータ２に加わる圧力をロータ２の全長に渡って均一に分散できるため、回転時のロータ２の芯ブレを最小限に抑えることができる。
【００４６】
さらに、床面に接触している清掃体３は、１８０度の捩り角度で螺旋状に形成されたものと比較して、ロータ２の長手方向に対して傾斜角度が大きくなるので、清掃体３の先端部の床面に対する接触状態を辺接触から点接触に近づかせることができ、これにより床面と清掃体３との接触面積が減少し、清掃体３と床面との間の摺動抵抗を減少させることができる。それにより回転ロータ１を駆動する駆動源であるモータ３１に加わる負荷が減り、その分同モータ３１を小型化することができる。
【００４７】
（実施の形態２）図５は、本発明の第２の実施の形態における掃除機用床ノズルの回転ロータの清掃体Ｂの斜視図である。なお、上記第１の実施の形態における掃除機用床ノズルの回転ロータと同一部分については同一符号を付してその説明を省略する。
【００４８】
ロータ２に設けた螺旋状の溝部４の捩り角度が大きくなると、その溝部４に取着される清掃体３、例えば清掃体Ｂ３ｂの先端部での展開寸法と、溝部４の展開寸法との差が大きくなるため、図３（ｂ）に示すような、両辺の長さが等しい帯状の清掃体Ｂ３ｂを用いた場合、軟質材で形成されているとは言え、清掃体Ｂ３ｂの先端が倒れ、塵埃の掻き上げ性能が低下するという問題が起こる。
【００４９】
そこで本発明は、図５に示すように、清掃体Ｂ３ｂを、平面に置いたときに円環状になるように形成し、その外周長Ｌoutと内周長Ｌinのそれぞれを、清掃体Ｂ３ｂをロータ２の溝部４に取り付けたときの清掃体Ｂ３ｂの先端の展開寸法と、溝部４の展開寸法と等しくしたもので、これにより清掃体Ｂ３ｂを溝部４に容易に装着できる。
【００５０】
又ロータ２の溝部４に取り付けられたとき、清掃体Ｂ３ｂの先端が倒れることが無く、塵埃の掻き上げ性能が向上する。さらに、平面上で環状になる形状なので、成形金型の構造が簡素化され、金型費用は勿論、成形工数も削減されるので、安価に形成できる。
【００５１】
又、同一断面形状のロータ２の長さを変えて回転ロータ１の部品展開を図るときは、ロータ２の長さに応じて円環状に形成した清掃体Ｂ３ｂを切断するだけで対応できるので、清掃体Ｂ３ｂ用の金型を複数用意する必要は無く、又在庫管理も容易になるものである。
【００５２】
（実施の形態３）図６は、本発明の第３の実施の形態における掃除機用床ノズルの回転ロータの清掃体Ｂの斜視図である。なお、上記第１の実施の形態における掃除機用床ノズルの回転ロータと同一部分については同一符号を付してその説明を省略する。
【００５３】
本実施の形態は、上記第２の実施の形態で述べた、帯状の清掃体Ｂ３ｂを用いた場合の問題点を解決する他の例を示すもので、図６に示すように、清掃体Ｂ３ｂの取り付け前の形状、すなわち清掃体Ｂ３ｂの製造後の形状が、ロータ２の溝４に取り付けた時の形状と略同一になるように形成したもので、清掃体Ｂ３ｂのロータ２の溝部４へ取り付ける前の形状と、取り付けた後の形状が略同一なので、溝部４への装着が無理なく容易に出来ると共に、溝部４へ取り付けた後の清掃体Ｂ３ｂに応力が残ることが無く、長寿命化を図ることができる。
【００５４】
（実施の形態４）図７は、本発明の第４の実施の形態における掃除機用床ノズルの回転ロータの側面図である。なお、上記第１の実施の形態における掃除機用床ノズルの回転ロータと同一部分については同一符号を付してその説明を省略する。
【００５５】
本実施の形態における掃除機用床ノズルの回転ロータ１１は、溝部４の捩り角度が、両側の部位１７でのそれと比較して小さい捩り角度の部位１８を設けたものである。
【００５６】
高捩れ角度の部位１７における捩り角度は、両側共に各１５０度、低捩れ角度の部位１８における捩り角度は６０度、即ち、夫々の捩り角度を全部加算して３６０度となるように設けてある。
【００５７】
なお、本実施の形態においては、低捩れ角度の部位１８における捩り角度を６０度に設定しているが、０度に設定しても良いものであり、この場合は、両側の高捩れ角度の部位１７における捩り角度を、例えば、夫々１８０度に設定することで、全て足して３６０度とすれば良い。又、本実施の形態においては、低捩れ角度の部位１８を、ロータ２の中央に設けているが、中央に限定するものではない。
【００５８】
以上のように、本実施の形態によれば、高捩れ角度の部位１７によって効率的に床面のゴミの掃き出し効果を得ると共に、低捩れ角度の部位１８によって電気掃除機の吸気による効率的な吸引効果を得ることができる。
【００５９】
（実施の形態５）図８は、本発明の第５の実施の形態における掃除機用床ノズルの回転ロータの斜視図である。なお、上記第１の実施の形態における掃除機用床ノズルの回転ロータと同一部分については同一符号を付してその説明を省略する。
【００６０】
本実施の形態における掃除機用床ノズルの回転ロータ２１は、溝部４の捩り方向を、中央を境に逆方向、すなわち、Ｖ字形状にし、その両端側から床面に接するように回転ロータ２１を回転（図８中の矢印方向）させるようにしたものである。
【００６１】
なお、左右それぞれの溝部４の捩り角度は、第１の実施の形態と同様に、全長に換算したときに、３６０度となるようにしてある。又、回転ロータ２１の略中央部に捩らない部分を設けて、左右夫々の捩り角度を足して３６０度になるように設定しても良いものである。
【００６２】
上記構成により、回転ロータ２１が矢印方向に回転すると、床面の塵埃が両側端部から中央に寄せられ、その中央部から、掃除機用床ノズル３０に作用する電気掃除機の吸引力で効率よく吸引されていく。
【００６３】
なお、特に図示しないが、溝部４の中央部での捩れ角度を、両側でのそれより小さくすれば、清掃体３の両側の捩れ角度の大きな部位で、効率的に床面の塵埃の掃き出しを行い、中央の捩れ角度の小さな部位に、電気掃除機による吸引効果を効率的に作用させることができる。
【００６４】
なお、上記実施の形態では、ロータ２の製造法について、特に言及しなかったが、従来の製造法である捩り押し出し成形や、押し出し成形後捩るなどの方法に限らず、上記実施の形態で述べた構成を形成することができれば、種々の製造方法を採用することができる。
【００６５】
（実施の形態６）図９は、本発明の第６の実施の形態における電気掃除機の全体側面図である。
本実施の形態における電気掃除機は、前部に塵埃を捕集する集塵室４１と、後部に電動送風機４２を内蔵した電動送風機室４３をそれぞれ備えた掃除機本体４０と、前記集塵室４１に連通するように一端が掃除機本体４０に接続されるホース４４と、ホース４４の他端に設けられたハンドルパイプ４５に着脱自在に接続される延長管４６とを備え、前記延長管４６の他端に、上記第１〜５の実施の形態における掃除機用床ノズル３０の一つを接続するようにしたものである。
【００６６】
上記構成により、掃除機本体４０を運転し、ハンドルパイプ４５を操作して、掃除機用床ノズル３０を木床や絨毯上で操作すると、掃除機用床ノズル３０に内蔵された回転ロータ（１１又は２１）が回転し、塵埃が清掃体３により掻き上げられ、電動送風機４２による吸引力で、空気と共に塵埃が、延長管４６、ホース４４を通って集塵室４１に流れそこで塵埃が捕集される。
【００６７】
本実施の形態によれば、上記第１〜５の実施の形態で述べたように、被掃除面と清掃体３との間の摺動抵抗が大幅に軽減し、回転ロータ１を回転させるモータなどの駆動源が小型化し、その結果掃除機用床ノズルも小型になっているので、掃除機用床ノズルの操作性が著しく向上し、きわめて使用勝手の良い電気掃除機を提供することが出来る。
【産業上の利用可能性】
【００６８】
以上のように、本発明に係る掃除機用床ノズルの回転ロータは、被掃除面と清掃体との間の摺動抵抗が大幅に軽減し、回転ロータを回転させる駆動源の小型化ひいては掃除機用床ノズルの小型化が図れ、さらに、清掃体Ａ、清掃体Ｂ、清掃体Ｃ及び清掃体Ｄの組み合わせを変えるだけで、木床、絨毯等床面の種類に応じて、自在に回転ロータが組み立てられるもので、電気掃除機の床ノズルに限らず、床面洗浄機や、床磨き機などにも適用できるものである。
【図面の簡単な説明】
【００６９】
【図１】本発明の実施の形態１における掃除機用床ノズルの回転ロータを搭載した掃除機用床ノズルの分解斜視図
【図２】同回転ロータの展開斜視図
【図３】（ａ）同回転ロータの清掃体Ａの斜視図、（ｂ）同回転ロータの清掃体Ｂの斜視図、（ｃ）同回転ロータの清掃体Ｃの斜視図、（ｄ）同回転ロータの清掃体Ｄの斜視図
【図４】（ａ）〜（ｄ）同回転ロータの清掃体Ａ、清掃体Ｂ、清掃体Ｃ、清掃体Ｄの組み合わせ例を示す同回転ロータの断面図
【図５】本発明の実施の形態２における掃除機用床ノズルの回転ロータの清掃体Ｂの斜視図
【図６】本発明の実施の形態３における掃除機用床ノズルの回転ロータの清掃体Ｂの斜視図
【図７】本発明の実施の形態４における掃除機用床ノズルの回転ロータの側面図
【図８】本発明の実施の形態５における掃除機用床ノズルの回転ロータの斜視図
【図９】本発明の実施の形態６における電気掃除機の全体側面図
【符号の説明】
【００７０】
１、１１、２１  回転ロータ
２    ロータ
３    清掃体
３ａ  清掃体Ａ
３ｂ  清掃体Ｂ
３ｃ  清掃体Ｃ
３ｄ  清掃体Ｄ
４    溝部
３０    掃除機用床ノズル
４０    掃除機本体
【図１】
2006325761.tif 000003
【図２】
2006325761.tif 000004
【図３】
2006325761.tif 000005
【図４】
2006325761.tif 000006
【図５】
2006325761.tif 000007
【図６】
2006325761.tif 000008
【図７】
2006325761.tif 000009
【図８】
2006325761.tif 000010
【図９】
2006325761.tif 000011